(57)【要約】【課題】  画像表示ユニットの使い勝手が改善された撮影装置を得る。【解決手段】  ＤＳＣ10のＬＣＤユニット16が筐体１２と略面一となる収納位置((A)に示す位置）に位置している状態で、電源を投入する操作（ロッド30の先端部を押圧してスライダ30を下方へ摺動移動させる操作）が行われると、モータを駆動することで、ＬＣＤユニット16の画像表示面16Aが撮影者側を向くことで撮影者が表示画像を容易に視認できる状態となる表示位置((C)に示す位置）へＬＣＤユニット16を自動的に回動させる。また、ＤＳＣ10のＬＣＤユニット16が表示位置に位置している状態で、電源を切断する操作（ロッド30の先端部を押圧してスライダ30を上方へ摺動移動させる操作）が行われると、モータを駆動することでＬＣＤユニット16を収納位置へ自動的に回動させる。【選択図】        図１
2005062563.tif 000002
【特許請求の範囲】
【請求項１】
撮影された画像を画像表示面に表示可能で、装置本体の筐体と略面一の状態となる収納位置と、前記筐体から突出することで画像表示面に表示された画像の視認が容易な状態となる表示位置の間を移動可能な画像表示ユニットを備えた撮影装置であって、
前記画像表示ユニットを少なくとも前記収納位置から前記表示位置へ移動可能な第１駆動手段と、
装置の電源が投入されると、前記収納位置に位置している画像表示ユニットを前記第１駆動手段によって前記表示位置へ移動させる第１駆動制御手段と、
を備えたことを特徴とする撮影装置。
【請求項２】
撮影された画像を画像表示面に表示可能で、装置本体の筐体と略面一の状態となる収納位置と、前記筐体から突出することで画像表示面に表示された画像の視認が容易な状態となる表示位置の間を移動可能な画像表示ユニットを備えた撮影装置であって、
前記画像表示ユニットを少なくとも前記表示位置から前記収納位置へ移動可能な第２駆動手段と、
装置の電源が切断されると、前記表示位置に位置している画像表示ユニットを前記第２駆動手段によって前記収納位置へ移動させる第２駆動制御手段と、
を備えたことを特徴とする撮影装置。
【請求項３】
前記収納位置に位置している画像表示ユニットを、前記収納位置に位置している状態で保持すると共に、装置の電源を投入する操作が行われると、前記画像表示ユニットの保持が解除されるロック機構を更に備えたことを特徴とする請求項１又は請求項２記載の撮影装置。
【請求項４】
前記第１駆動手段又は前記第２駆動手段は、前記画像表示ユニットを前記収納位置と前記表示位置との間で手動で移動させることも可能に前記画像表示ユニットと連結されていることを特徴とする請求項１又は請求項２記載の撮影装置。
【発明の詳細な説明】
【技術分野】
【０００１】
本発明は撮影装置に係り、特に、装置本体の筐体と略面一の状態となる収納位置と、前記筐体から突出することで画像表示面に表示された画像の視認が容易な状態となる表示位置の間を移動可能な画像表示ユニットを備えた撮影装置に関する。
【背景技術】
【０００２】
デジタルスチルカメラ（ＤＳＣ）やデジタルビデオカメラ等の撮影装置では、撮影された画像（撮影後の画像（静止画像又は動画像）、或いは撮影前の被写体の画像）の確認等のためにＬＣＤ等から成る画像表示ユニットが設けられている。この種の画像表示ユニットは、特にＬＣＤが狭視野角であることや筐体の小型化を考慮し、また画像表示ユニットに表示された画像を確認しながら様々な撮影アングルでの撮影を可能とするために、装置本体の筐体と略面一の状態となる収納位置と、装置本体の筐体から突出する表示位置の間を開閉移動可能とされており、更に画像表示ユニットの画像表示面の向きも調節可能とされている。また、撮影装置の使い勝手向上のために、画像表示ユニットを手動で表示位置へ移動させると、画像表示ユニットに撮影画像を表示する状態に自動的に切り替わる構成も提案されている。
【０００３】
上記に関連して特許文献１には、入力部と表示部がヒンジ機構により開閉可能な構造の携帯情報端末において、開閉検知スイッチを設けると共に、スイッチ作動時（表示部の閉止時）の動作状態を状態データとして保存し、表示部の開放時に状態データを読み出し、読み出した状態データに対応する動作状態にする技術が開示されている。
【特許文献１】特開２０００−３１１１４１号公報
【発明の開示】
【発明が解決しようとする課題】
【０００４】
画像表示ユニットが設けられた撮影装置では、ＬＣＤ等から成る画像表示ユニットの低消費電力化に伴い、画像表示ユニットを表示位置に引き出した状態で撮影画像を常時表示させ、画像表示ユニットに表示されている撮影画像を常時確認しながら撮影を行う撮影方法が一般的になりつつある。しかしながら、撮影装置の筐体の小型化等を考慮すると画像表示ユニットは開閉式にせざるを得ず、画像表示ユニットは手動で開閉する構成のため、上記の撮影方法で撮影を行うには、撮影を行う度に画像表示ユニットを表示位置へ手動で移動させ、移動時等の非撮影時には画像表示ユニットを手動で収納位置へ移動させる必要がある。このため、撮影装置の使い勝手が非常に悪いという問題があった。
【０００５】
本発明は上記事実を考慮して成されたもので、画像表示ユニットの使い勝手が改善された撮影装置を得ることが目的である。
【課題を解決するための手段】
【０００６】
上記目的を達成するために請求項１記載の発明に係る撮影装置は、撮影された画像を画像表示面に表示可能で、装置本体の筐体と略面一の状態となる収納位置と、前記筐体から突出することで画像表示面に表示された画像の視認が容易な状態となる表示位置の間を移動可能な画像表示ユニットを備えた撮影装置であって、前記画像表示ユニットを少なくとも前記収納位置から前記表示位置へ移動可能な第１駆動手段と、装置の電源が投入されると、前記収納位置に位置している画像表示ユニットを前記第１駆動手段によって前記表示位置へ移動させる第１駆動制御手段と、を備えたことを特徴としている。
【０００７】
請求項１記載の発明に係る撮影装置は、撮影された画像を画像表示面に表示可能で、装置本体の筐体と略面一の状態となる収納位置と、筐体から突出することで画像表示面に表示された画像の視認が容易な状態となる表示位置の間を移動可能な画像表示ユニットを備えている。上記構成の撮影装置では、撮影開始時に電源を投入し、撮影が終了すると電源を切断する使用方法が殆どであり、電源がオンとなっている期間は撮影を行っている期間、すなわち画像表示ユニットに表示されている撮影画像を確認しながら撮影を行う撮影方法において画像表示ユニットを使用している期間に略一致している。
【０００８】
上記に着目し、請求項１記載の発明では、画像表示ユニットを少なくとも収納位置から表示位置へ移動可能な第１駆動手段を設け、第１駆動制御手段により、装置の電源が投入されると、収納位置に位置している画像表示ユニットを第１駆動手段によって表示位置へ移動させるようにしている。これにより、撮影装置を用いて撮影を行うために撮影装置の電源を投入すると、収納位置に位置している画像表示ユニットが自動的に表示位置へ移動されることになるので、画像表示ユニットを手動で表示位置へ移動させる操作を行う必要がなくなる。従って、撮影装置の画像表示ユニットの使い勝手を改善することができる。
【０００９】
請求項２記載の発明に係る撮影装置は、撮影された画像を画像表示面に表示可能で、装置本体の筐体と略面一の状態となる収納位置と、前記筐体から突出することで画像表示面に表示された画像の視認が容易な状態となる表示位置の間を移動可能な画像表示ユニットを備えた撮影装置であって、前記画像表示ユニットを少なくとも前記表示位置から前記収納位置へ移動可能な第２駆動手段と、装置の電源が切断されると、前記表示位置に位置している画像表示ユニットを前記第２駆動手段によって前記収納位置へ移動させる第２駆動制御手段と、を備えたことを特徴としている。
【００１０】
請求項２記載の発明では、請求項１記載の発明と同様の構成の撮影装置において、画像表示ユニットを少なくとも表示位置から収納位置へ移動可能な第２駆動手段を設け、第２駆動制御手段により、装置の電源が切断されると、表示位置に位置している画像表示ユニットを第２駆動手段によって収納位置へ移動させるようにしている。これにより、撮影装置を用いた撮影が終了したことに伴って撮影装置の電源を切断すると、表示位置に位置している画像表示ユニットが自動的に収納位置へ移動されることになるので、画像表示ユニットを手動で収納位置へ移動させる操作を行う必要がなくなる。従って、撮影装置の画像表示ユニットの使い勝手を改善することができる。
【００１１】
なお、請求項１又は請求項２記載の発明において、例えば請求項３に記載したように、収納位置に位置している画像表示ユニットを、収納位置に位置している状態で保持すると共に、装置の電源を投入する操作が行われると、画像表示ユニットの保持が解除されるロック機構を更に設けることが好ましい。これにより、収納位置に位置している画像表示ユニットが、異物に引っ掛かった等の原因で不用意に収納位置から移動されることを阻止することができ、装置の電源がオフされている状態で、画像表示ユニットを収納位置に確実に保持することができる。また、装置の電源を投入する操作が行われると画像表示ユニットの保持が解除されるので、請求項１記載の発明に係る第１駆動手段が、収納位置に位置している画像表示ユニットを表示位置へ移動させることを、上記のロック機構が妨害することも回避できる。
【００１２】
また、請求項１又は請求項２記載の発明において、第１駆動手段又は第２駆動手段は、例えばモータ等の駆動源と、該駆動源と画像表示ユニットを連結し駆動源の駆動力を画像ユニットに伝達する伝達機構で構成することができる（単一の駆動源及び単一の伝達機構を第１駆動手段及び第２駆動手段として機能させることも可能であることは言うまでもない）が、上記伝達機構の構成によっては、画像表示ユニットを収納位置と表示位置との間で手動で移動させることができなくなることも考えられる（例えば伝達機構をウォームギア等で構成した等の場合）。
【００１３】
これを考慮すると、請求項１又は請求項２記載の発明において、例えば請求項４に記載したように、第１駆動手段又は第２駆動手段は、画像表示ユニットを収納位置と表示位置との間で手動で移動させることも可能に画像表示ユニットと連結されていることが好ましい。これにより、画像表示ユニットを、収納位置と表示位置との間で手動で移動させることが可能となる。
【発明の効果】
【００１４】
以上説明したように本発明は、撮影装置の電源が投入されると、装置本体の筐体と略面一の状態となる収納位置に位置している画像表示ユニットを、第１駆動手段により、筐体から突出することで画像表示面に表示された画像の視認が容易な状態となる表示位置へ移動させるようにしたので、撮影装置の画像表示ユニットの使い勝手を改善することができる、という優れた効果を有する。
【００１５】
また本発明は、撮影装置の電源が切断されると、装置本体の筐体から突出することで画像表示面に表示された画像の視認が容易な状態となる表示位置に位置している画像表示ユニットを、第２駆動手段により、筐体と略面一の状態となる収納位置へ移動させるようにしたので、撮影装置の画像表示ユニットの使い勝手を改善することができる、という優れた効果を有する。
【発明を実施するための最良の形態】
【００１６】
以下、図面を参照して本発明の実施形態の一例を詳細に説明する。図１には本実施形態に係るデジタルスチルカメラ１０（以下、ＤＳＣ１０と称する）が示されている。ＤＳＣ１０は略箱形の筐体１２を備えており、この筐体１２には複数枚のレンズを含んで構成された光学系１４が取付けられている。筐体１２の内部の光学系１４の焦点位置に相当する箇所にはＣＣＤ等から成る撮像デバイスが配置されており、更に、光学系を駆動する光学系駆動回路、撮像デバイスを駆動する撮像デバイス駆動回路、撮像デバイスから出力された画像信号を処理する信号処理回路、信号処理回路から出力された画像データを記録メディアに書き込むと共に、記録メディアに記録されている画像データを読み出すメディア駆動回路等も内蔵されている（何れも図示省略）。
【００１７】
また、ＤＳＣ１０の筐体１２にはＬＣＤユニット１６が取付けられている。ＬＣＤユニット１６はＬＣＤ（液晶ディスプレイ）を内蔵しており、撮影された画像（記録メディアに記録された画像データが表す画像や、撮影対象の被写体を撮像することで撮像デバイスから出力される画像信号が表す画像）をＬＣＤの画像表示面１６Ａ（図２（Ｃ）参照）に表示可能とされている。ＬＣＤユニット１６は一端部に回転軸１６Ｂ（図３参照）が取付けられ、この回転軸１６Ｂが筐体１２に内蔵された図示しない軸受に支持されていることで、図１（Ａ）〜（Ｃ）にも示すように、装置本体の筐体１２と略面一の状態となる収納位置（図１（Ａ）に示す状態）と、画像表示面１６Ａが筐体１２の後方側（撮影者側）を向くことで撮影者が表示画像を容易に視認できる状態となる表示位置（図１（Ｃ）に示す状態）の間を回動可能とされている。
【００１８】
また、図３に示すように、回転軸１６Ｂは複数個のギア（平歯車）から成る駆動力伝達機構１８を介してモータ２０の回転軸と連結されており、モータ２０はモータ駆動回路２２を介してカメラ制御部２４に接続されている。カメラ制御部２４はモータ駆動回路２２を介してモータ２０の駆動を制御する。モータ２０が駆動されると、モータ２０で発生された駆動力が駆動力伝達機構１８を介して減速されて回転軸１６Ｂに伝達されることで、ＬＣＤユニット１６は収納位置と表示位置の間を回動される。このように、モータ２０は請求項１に記載の第１駆動手段及び請求項２に記載の第２駆動手段に各々対応している。また回転軸１６Ｂには、回転軸１６Ｂ（すなわちＬＣＤユニット１６）の回転角度を検出するための回転角センサ２６が取付けられている。回転角センサ２６はカメラ制御部２４に接続されており、回転角センサ２６による回転角度の検出結果はカメラ制御部２４に入力される。
【００１９】
また、筐体１２の後方側（詳しくは、ＬＣＤユニット１６が収納位置に位置している状態でＬＣＤユニット１６と近接した位置）には電源スイッチ２８が設けられており、ＤＳＣ１０には、収納位置に位置しているＬＣＤユニット１６を、収納位置に位置している状態で保持すると共に、ＤＳＣ１０の電源を投入するための電源スイッチ２８の操作と連動してＬＣＤユニット１６の保持が解除されるロック機構（請求項３に記載のロック機構に対応している）が設けられている。
【００２０】
すなわち、図２に示すように、電源スイッチ２８は合成樹脂製で矩形状のスライダ３０を備えている。筐体１２にはスライダ３０の長手方向に沿って溝３２（図２（Ｂ）参照）が穿設されており、スライダ３０には溝３２に係合するフランジ３０Ａ（図２（Ｃ）参照）が形成されている。従って、スライダ３０は溝３２に沿って長手方向に摺動移動可能とされている。またスライダ３０は、図２（Ｂ）に示すように、長手方向に沿った中間部に凹部３０Ｂが形成されていると共に、凹部３０Ｂの中央部に孔３４が穿設されており、孔３４を貫通するロッド３６の先端部が所定量突出している。
【００２１】
図２（Ｂ）に示すように、スライダ３０の凹部３０Ｂと反対側には矩形状の溝３０Ｃが形成されており、ロッド３６の中間部の溝３０Ｃ内に位置している部分には第１ストッパ３６Ａが形成されている。溝３０Ｃの内部には第１ストッパ３６Ａを介してロッド３６を上方へ付勢する板ばね３８が設けられており、ロッド３６は板ばね３８の付勢力によって図２（Ｂ）に示す位置（第１ストッパ３６Ａがスライダ３０に当接する位置）に保持される。
【００２２】
また、ロッド３６が図２（Ｂ）に示す位置に保持されている状態で、ロッド３６の中間部の筐体１２に対応する部分には、スライダ３０の幅方向に突出する第２ストッパ３６Ｂが形成されている。筐体１２にはロッド３６が貫通する孔４０が穿設されているが、この孔４０は、ロッド３６が図２（Ｂ）に示す位置に保持されている状態で第２ストッパ３６Ｂが嵌り込む形状とされている（図示省略）。従って、ロッド３６が図２（Ｂ）に示す位置に保持されている状態では、第２ストッパ３６Ｂが孔４０に嵌り込んでいることでスライダ３０の摺動移動が阻止される。また、スライダ３０の凹部３０Ｂから突出しているロッド３６の先端部が板ばね３８の付勢力に抗して押圧されると、第２ストッパ３６Ｂが孔４０から脱出することでスライダ３０が摺動移動可能な状態となる。
【００２３】
スライダ３０の近傍にはスライダ３０の摺動移動を検出するスイッチ（図２では図示省略、図３に「電源スイッチ２８」と表記して図示）が設けられており、ＤＳＣ１０の電源を投入する操作（ロッド３６の先端部を押圧してスライダ３０を図２（Ａ）における下方へ摺動移動させる操作）及びＤＳＣ１０の電源を切断する操作（ロッド３６の先端部を押圧してスライダ３０を図２（Ａ）における上方へ摺動移動させる操作）は電源スイッチ２８によって検出される。
【００２４】
また、筐体１２の内部のスライダ３０に対応する位置は、ＬＣＤユニット１６が収納位置に位置している状態でＬＣＤユニット１６が接する面から突出するようにロック部材４２が設けられている。ロック部材４２は先端部が鉤状とされ、基部が回転軸４４を介して回動可能に筐体１２に支持されている。またロック部材４２には、一端がアンカー部材４６に連結された引っ張りコイルばね４８の他端が連結されている。更にロック部材４２には、引っ張りコイルばね４８の付勢力に抗してロック部材４２を図２（Ａ）に示す位置に保持するストッパ（図示省略）が当接している。
【００２５】
ＬＣＤユニット１６には、ロック部材４２の先端部に対応する位置に溝５０が形成されており、この溝５０にはロック部材４２の先端部と係合する係合部材５２が設けられている。収納位置へ向けてＬＣＤユニット１６が回動される（図２（Ａ）の矢印Ａ方向へ移動される）と、まずロック部材４２が係合部材５２と当接し、更にＬＣＤユニット１６が回動されることで、ロック部材４２が引っ張りコイルばね４８の付勢力に抗して図２（Ａ）における反時計回りに一旦回動し、その後引っ張りコイルばね４８の付勢力で元の位置に復帰することで、ロック部材４２の先端部と係合部材５２が係合した状態となる。これにより、収納位置へ移動されたＬＣＤユニット１６が、収納位置に位置している状態で保持されることになる。
【００２６】
また、ロッド３６のうち凹部３０Ｂから突出している先端部と反対側の端部には突起３６Ｃが設けられており、ロック部材４２の中間部には突起３６Ｃに対応する孔４２Ａが穿設されている。従って、ＤＳＣ１０の電源を投入するために、ロッド３６の先端部を押圧してスライダ３０を図２（Ａ）における下方へ摺動移動させる操作が行われると、ロッド３６の突起３６Ｃが孔４２Ａに嵌り込み、スライダ３０の摺動移動に伴ってロック部材４２が図２（Ａ）の反時計回りに若干量回動される。
【００２７】
図示は省略するが、ＬＣＤユニット１６の回転軸１６Ｂには、ＬＣＤユニット１６が収納位置に位置している状態で、ＬＣＤユニット１６を表示位置へ向けて若干量回動させる付勢力を発生させる付勢手段（例えば捩りコイルばね等）が取付けられており、上記のロック部材４２の回動に伴ってロック部材４２の先端部と係合部材５２との係合、すなわちＬＣＤユニット１６の保持が解除されることで、ＬＣＤユニット１６が表示位置へ向けて若干量回動され（図２（Ａ）の矢印Ｅ方向へ移動され）、ＬＣＤユニット１６が図２（Ａ）及び（Ｃ）に示す位置へ移動されることになる。
【００２８】
次に本実施形態の作用として、カメラ制御部２４で実行される電源オン時処理について、図４のフローチャートを参照して説明する。なお、この電源オン時処理は、ＤＳＣ１０の電源を投入する操作（ロッド３６の先端部を押圧してスライダ３０を図２（Ａ）における下方へ摺動移動させる操作）が行われ、この操作に伴い電源スイッチ２８の接点が切り替わることで、割り込みが発生して実行される。
【００２９】
ステップ１００では、回転角センサ２６から入力される信号を取り込むことで、ＬＣＤユニット１６の現在の開度を確認する。次のステップ１０２では、ステップ１００で確認した開度に基づいて、ＬＣＤユニット１６が表示位置に位置しているか否か判定する。判定が肯定された場合は何ら処理を行うことなく処理を終了するが、判定が否定された場合にはステップ１０４へ移行し、ＬＣＤユニット１６が表示位置へ向けて回動するようにモータ２０を駆動する。なお、電源オン時処理が実行されるときには、ロッド３６の先端部を押圧してスライダ３０を図２（Ａ）における下方へ摺動移動させる操作が行われているので、この操作に伴ってロック部材４２の先端部と係合部材５２との係合、すなわちＬＣＤユニット１６の保持は解除されており、モータ２０によるＬＣＤユニット１６の回動がロック機構によって妨害されることはない。
【００３０】
ステップ１０６ではモータ２０の駆動を開始してから所定時間が経過したか否か判定する。判定が否定された場合はステップ１００に戻り、ステップ１０２又はステップ１０６の判定が肯定される迄モータ２０の駆動を継続し、表示位置へ向けてＬＣＤユニット１６を回動させる。モータ２０の駆動を開始してから所定時間以内にＬＣＤユニット１６が表示位置に到達した場合には、ステップ１０２の判定が肯定されることで、モータ２０の駆動が停止されて電源オン時処理が終了する。このように、本実施形態ではＤＳＣ１０の電源を投入する操作を行うとＬＣＤユニット１６が自動的に表示位置へ回動されるので、ＤＳＣ１０のＬＣＤユニット１６の使い勝手が向上する。
【００３１】
なお、モータ２０の駆動を開始してから所定時間が経過してもＬＣＤユニット１６が表示位置に到達しなかった場合には、何らかの異常が生じている（例えばＬＣＤユニット１６の回動を阻止する外力が加わっている等）と判断できる。このため、ステップ１０６の判定が肯定された場合はステップ１０８へ移行し、例えばブザーを鳴らす等のエラー処理を行った後に電源オン時処理を終了する。
【００３２】
本実施形態では、ＬＣＤユニット１６の回転軸１６Ｂとモータ２０の回転軸が、複数個の平歯車から成る駆動力伝達機構１８を介して連結されているので、例えばウォームギアを介して連結されている場合と異なり、ＬＣＤユニット１６を手動で回動させることも可能であり、上記のようにＬＣＤユニット１６をモータ２０の駆動力で表示位置へ回動させることができなかった場合には、ＬＣＤユニット１６を手動で表示位置へ回動させればよい。なお、電源スイッチ２８と別にモータ２０の駆動を指示するためのスイッチを設け、このスイッチがオンされた場合に再度モータ２０を駆動し、ＬＣＤユニット１６を表示位置へ回動させるようにしてもよい。なお、上述した電源オン時処理を行うカメラ制御部２４は請求項１に記載の第１駆動制御手段に対応している。
【００３３】
続いて、カメラ制御部２４で実行される電源オフ時処理について、図５のフローチャートを参照して説明する。なお、この電源オフ時処理は、ＤＳＣ１０の電源を切断する操作（ロッド３６の先端部を押圧してスライダ３０を図２（Ａ）における上方へ摺動移動させる操作）が行われ、この操作に伴い電源スイッチ２８の接点が切り替わることで、割り込みが発生して実行される。
【００３４】
ステップ１１０ではＬＣＤユニット１６の現在の開度を確認し、次のステップ１１２ではＬＣＤユニット１６が収納位置に位置しているか否か判定する。判定が肯定された場合は何ら処理を行うことなく処理を終了するが、判定が否定された場合はステップ１１４へ移行し、ＬＣＤユニット１６が収納位置へ向けて回動するようにモータ２０を駆動する。ステップ１１６ではモータ２０の駆動を開始してから所定時間が経過したか否か判定する。判定が否定された場合はステップ１１０に戻り、ステップ１１２又はステップ１１６の判定が肯定される迄モータ２０の駆動を継続し、収納位置へ向けてＬＣＤユニット１６を回動させる。
【００３５】
モータ２０の駆動を開始してから所定時間以内にＬＣＤユニット１６が収納位置に到達した場合には、ステップ１１２の判定が肯定されることで、モータ２０の駆動が停止されて電源オフ時処理を終了する。なお、ＬＣＤユニット１６が収納位置に到達すると、ロック部材４２の先端部と係合部材５２が係合した状態となるので、ＬＣＤユニット１６はモータ２０の駆動が停止された後も収納位置に位置している状態で保持されることになる。このように、本実施形態ではＤＳＣ１０の電源を切断する操作を行うとＬＣＤユニット１６が自動的に収納位置へ回動されるので、ＤＳＣ１０のＬＣＤユニット１６の使い勝手が向上する。
【００３６】
なお、モータ２０の駆動を開始してから所定時間が経過してもＬＣＤユニット１６が収納位置に到達しなかった場合にも、何らかの異常が生じていると判断できるので、ステップ１１６の判定が肯定されてステップ１１８へ移行し、例えばブザーを鳴らす等のエラー処理を行った後に電源オフ時処理を終了する。この場合もＬＣＤユニット１６を手動で収納位置へ回動させればよい。なお、電源スイッチ２８と別にモータ２０の駆動を指示するためのスイッチを設け、このスイッチがオンされた場合に再度モータ２０を駆動し、ＬＣＤユニット１６を収納位置へ回動させるようにしてもよい。上述した電源オフ時処理を行うカメラ制御部２４は請求項２に記載の第２駆動制御手段にも対応している。
【００３７】
なお、上記では本発明に係る撮影装置としてＤＳＣ１０を例に挙げて説明したが、本発明はこれに限定されるものではなく、デジタルビデオカメラ、被写体を撮影する機能を備えた携帯電話機、写真フィルムに画像を露光記録するカメラ等の撮影装置に適用可能である。
【００３８】
また、上記では装置の電源を投入する操作と連動するロック機構（請求項３に記載のロック機構）が設けられた構成を説明したが、これに限定されるものではなく、解除ボタンが電源スイッチと別に設けられたロック機構を設けてもよいし、ロック機構を省略してもよい。
【図面の簡単な説明】
【００３９】
【図１】本実施形態に係るＤＳＣの斜視図である。
【図２】電源スイッチ付近の構造を示す、（Ａ）は平面図、（Ｂ）は（Ａ）のＢ−Ｂ線に沿った断面図、（Ｃ）は（Ａ）のＣ−Ｃ線に沿った断面図である。
【図３】ＤＳＣのうちＬＣＤユニットの開閉に係る部分の概略構成図である。
【図４】電源オン時処理の内容を示すフローチャートである。
【図５】電源オフ時処理の内容を示すフローチャートである。
【符号の説明】
【００４０】
１０  ＤＳＣ
１２  筐体
１６  ＬＣＤユニット
１８  駆動力伝達機構
２０  モータ
２４  カメラ制御部
２６  回転角センサ
２８  電源スイッチ
４２  ロック部材
【図１】
2005062563.tif 000003
【図２】
2005062563.tif 000004
【図３】
2005062563.tif 000005
【図４】
2005062563.tif 000006
【図５】
2005062563.tif 000007